【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
高温超伝導体（ＨＴＳ）材料からなり、それを通る空洞を画定する本体と、
前記空洞の両端に位置決めされた第１の端板および第２の端板であって、前記第１の端板および前記第２の端板もＨＴＳ材料からなり、前記第１の端板が、前記空洞内への少なくとも１つの開口部を画定する第１の端板および第２の端板と
を備える粒子トラップ。
【請求項２】
前記空洞が、前記第１の端板と前記第２の端板の間に延びる中心軸を画定し、前記第１の端板によって画定される前記少なくとも１つの開口部が前記中心軸からずれている、請求項１に記載の粒子トラップ。
【請求項３】
前記第１の端板が、前記中心軸と整列した第２の開口部を画定する、請求項２に記載の粒子トラップ。
【請求項４】
前記少なくとも１つの開口部に近接して位置決めされた電極をさらに備える、請求項１に記載の粒子トラップ。
【請求項５】
前記第１の端板および前記第２の端板を、前記本体に対して適切な位置に保持するように構成されたクランプをさらに備える、請求項１に記載の粒子トラップ。
【請求項６】
前記空洞が、前記第１の端板と前記第２の端板の間に延びる中心軸を画定し、前記本体が、前記中心軸によって画定される方向に延びる磁場を有する、請求項１に記載の粒子トラップ。
【請求項７】
前記ＨＴＳ材料が予め決められた臨界温度を有し、前記粒子トラップが、前記本体ならびに前記第１の端板および前記第２の端板を、前記予め決められた臨界温度より低い温度まで冷却するための手段をさらに備える、請求項６に記載の粒子トラップ。
【請求項８】
高温超伝導体（ＨＴＳ）材料からなり、それを通る空洞を画定する本体と、
前記本体と電気的に接触する本体電極と、
前記空洞の両端に位置決めされた第１の電極および第２の電極であって、前記第１の電極が、前記空洞内への少なくとも１つの開口部を画定する第１の電極および第２の電極と
を備える粒子トラップ。
【請求項９】
前記第１の電極および前記第２の電極が、前記空洞の両端にわたって延びる、請求項８に記載の粒子トラップ。
【請求項１０】
前記空洞が、前記第１の電極と前記第２の電極の間に延びる中心軸を画定し、前記第１の電極によって画定される前記少なくとも１つの開口部が前記中心軸と整列する、請求項９に記載の粒子トラップ。
【請求項１１】
前記第１の電極および前記第２の電極が円筒形であり、前記空洞のそれぞれの端部を取り囲む、請求項８に記載の粒子トラップ。
【請求項１２】
前記空洞が、前記第１の電極と前記第２の電極の間に延びる中心軸を画定し、前記第１の電極および前記第２の電極が前記中心軸と整列する、請求項１１に記載の粒子トラップ。
【請求項１３】
前記空洞が、前記空洞の第１の端部と前記第２の端部に延びる中心軸を画定し、前記本体が前記中心軸によって画定される方向に延びる磁場を有する、請求項８に記載の粒子トラップ。
【請求項１４】
前記ＨＴＳ材料が予め決められた臨界温度を有し、前記粒子トラップが、前記本体を前記予め決められた臨界温度より低い温度まで冷却するための手段をさらに備える、請求項１３に記載の粒子トラップ。
【請求項１５】
前記本体がそれを通る複数の空洞を画定する、請求項１または８に記載の粒子トラップ。
【請求項１６】
高温超伝導体（ＨＴＳ）材料からなる本体を備える粒子トラップを提供することであって、前記本体がそれを通る空洞を画定し、前記空洞がその両端間に延びる中心軸を有すること、
前記中心軸によって画定される方向に延びる磁場を提供すること、
前記空洞の一端を通して荷電粒子を受け取ること、および
前記ＨＴＳ材料の反磁性特性に応じて前記荷電粒子を前記中心軸の方へ押し進めること
を含む、粒子をトラップするための方法。
【請求項１７】
前記粒子トラップを提供することが、前記空洞の両端に位置決めされ、ＨＴＳ材料からなる第１の端板および第２の端板を提供することを含み、荷電粒子を受け取ることが、前記第１の端板によって画定される前記空洞内への少なくとも１つの開口部を通して荷電粒子を受け取ることを含む、請求項１６に記載の方法。
【請求項１８】
前記第１の端板が、前記空洞内への第２の開口部をさらに画定し、少なくとも１つの電極が、前記空洞内への前記開口部の少なくとも１つに近接して位置決めされ、前記方法が、前記電極に印加される電圧と前記荷電粒子によって維持される電荷の関係に基づいて、前記荷電粒子を引きつける、またははね返すように、前記電極に電圧を印加することをさらに含む、請求項１７に記載の方法。
【請求項１９】
前記粒子トラップを提供することが、前記空洞の両端に位置決めされた第１の電極および第２の電極を提供することを含み、荷電粒子を受け取ることが、前記第１の電極によって画定される前記空洞内への少なくとも１つの開口部を通して荷電粒子を受け取ることを含み、前記方法が、前記第１の電極および前記第２の電極の少なくとも１つの電極に印加される電圧と前記荷電粒子によって維持される電荷の関係に基づいて、前記荷電粒子を引きつける、またははね返すように、前記少なくとも１つの電極に電圧を印加することをさらに含む、請求項１６に記載の方法。
【手続補正２】
【補正対象書類名】明細書
【補正対象項目名】００４３
【補正方法】変更
【補正の内容】
【００４３】
前述の説明および関連する図面に示した教示の利益を有する、これらの実施形態が関係する当分野の技術者には、本明細書において述べた開示について、多くの変更形態および他の実施形態が想到されるであろう。したがって、本開示は開示された特定の実施形態に限定されず、変更形態および他の実施形態が、添付の特許請求の範囲の範囲内に含まれるものであることを理解されたい。本明細書では特定の用語を使用しているが、そうした用語は一般的かつ説明的な意味で用いているにすぎず、限定の目的で用いているものではない。
また、本願は以下に記載する態様を含む。
（態様１）
高温超伝導体（ＨＴＳ）材料からなり、それを通る空洞を画定する本体と、
前記空洞の両端に位置決めされた第１の端板および第２の端板であって、前記第１の端板および前記第２の端板もＨＴＳ材料からなり、前記第１の端板が、前記空洞内への少なくとも１つの開口部を画定する第１の端板および第２の端板と
を備える粒子トラップ。
（態様２）
前記空洞が、前記第１の端板と前記第２の端板の間に延びる中心軸を画定し、前記第１の端板によって画定される前記少なくとも１つの開口部が前記中心軸からずれている、態様１に記載の粒子トラップ。
（態様３）
前記第１の端板が、前記中心軸と整列した第２の開口部を画定する、態様２に記載の粒子トラップ。
（態様４）
前記少なくとも１つの開口部に近接して位置決めされた電極をさらに備える、態様１に記載の粒子トラップ。
（態様５）
前記第１の端板および前記第２の端板を、前記本体に対して適切な位置に保持するように構成されたクランプをさらに備える、態様１に記載の粒子トラップ。
（態様６）
前記空洞が、前記第１の端板と前記第２の端板の間に延びる中心軸を画定し、前記本体が、前記中心軸によって画定される方向に延びる磁場を有する、態様１に記載の粒子トラップ。
（態様７）
前記ＨＴＳ材料が予め決められた臨界温度を有し、前記粒子トラップが、前記本体ならびに前記第１の端板および前記第２の端板を、前記予め決められた臨界温度より低い温度まで冷却するための手段をさらに備える、態様６に記載の粒子トラップ。
（態様８）
前記本体がそれを通る複数の空洞を画定する、態様１に記載の粒子トラップ。
（態様９）
高温超伝導体（ＨＴＳ）材料からなり、それを通る空洞を画定する本体と、
前記本体と電気的に接触する本体電極と、
前記空洞の両端に位置決めされた第１の電極および第２の電極であって、前記第１の電極が、前記空洞内への少なくとも１つの開口部を画定する第１の電極および第２の電極と
を備える粒子トラップ。
（態様１０）
前記第１の電極および前記第２の電極が、前記空洞の両端にわたって延びる、態様９に記載の粒子トラップ。
（態様１１）
前記空洞が、前記第１の電極と前記第２の電極の間に延びる中心軸を画定し、前記第１の電極によって画定される前記少なくとも１つの開口部が前記中心軸と整列する、態様１０に記載の粒子トラップ。
（態様１２）
前記第１の電極および前記第２の電極が円筒形であり、前記空洞のそれぞれの端部を取り囲む、態様９に記載の粒子トラップ。
（態様１３）
前記空洞が、前記第１の電極と前記第２の電極の間に延びる中心軸を画定し、前記第１の電極および前記第２の電極が前記中心軸と整列する、態様１２に記載の粒子トラップ。
（態様１４）
前記空洞が、前記空洞の第１の端部と前記第２の端部に延びる中心軸を画定し、前記本体が前記中心軸によって画定される方向に延びる磁場を有する、態様９に記載の粒子トラップ。
（態様１５）
前記ＨＴＳ材料が予め決められた臨界温度を有し、前記粒子トラップが、前記本体を前記予め決められた臨界温度より低い温度まで冷却するための手段をさらに備える、態様１４に記載の粒子トラップ。
（態様１６）
前記本体がそれを通る複数の空洞を画定する、態様９に記載の粒子トラップ。
（態様１７）
高温超伝導体（ＨＴＳ）材料からなる本体を備える粒子トラップを提供することであって、前記本体がそれを通る空洞を画定し、前記空洞がその両端間に延びる中心軸を有すること、
前記中心軸によって画定される方向に延びる磁場を提供すること、
前記空洞の一端を通して荷電粒子を受け取ること、および
前記ＨＴＳ材料の反磁性特性に応じて前記荷電粒子を前記中心軸の方へ押し進めること
を含む、粒子をトラップするための方法。
（態様１８）
前記粒子トラップを提供することが、前記空洞の両端に位置決めされ、ＨＴＳ材料からなる第１の端板および第２の端板を提供することを含み、荷電粒子を受け取ることが、前記第１の端板によって画定される前記空洞内への少なくとも１つの開口部を通して荷電粒子を受け取ることを含む、態様１７に記載の方法。
（態様１９）
前記第１の端板が、前記空洞内への第２の開口部をさらに画定し、少なくとも１つの電極が、前記空洞内への前記開口部の少なくとも１つに近接して位置決めされ、前記方法が、前記電極に印加される電圧と前記荷電粒子によって維持される電荷の関係に基づいて、前記荷電粒子を引きつける、またははね返すように、前記電極に電圧を印加することをさらに含む、態様１８に記載の方法。
（態様２０）
前記粒子トラップを提供することが、前記空洞の両端に位置決めされた第１の電極および第２の電極を提供することを含み、荷電粒子を受け取ることが、前記第１の電極によって画定される前記空洞内への少なくとも１つの開口部を通して荷電粒子を受け取ることを含み、前記方法が、前記第１の電極および前記第２の電極の少なくとも１つの電極に印加される電圧と前記荷電粒子によって維持される電荷の関係に基づいて、前記荷電粒子を引きつける、またははね返すように、前記少なくとも１つの電極に電圧を印加することをさらに含む、態様１７に記載の方法。